(57)【特許請求の範囲】
【請求項１】
庇構造において、
建物の外壁に突設される庇部と、
前記庇部を取り囲むように前記外壁に設けられる壁部とを有し、前記壁部と前記庇部は、互いに接続されておらず、前記庇部の先端と前記壁部との間には隙間が形成されていることを特徴とする庇構造。
【請求項２】
請求項１において、
前記建物は、バルコニーを備え、
前記壁部は、前記バルコニーと同様な外観に形成されること、を特徴とする庇構造。
【請求項３】
請求項２において、
前記壁部は、前記バルコニーと同じ高さの位置に形成されること、を特徴とする庇構造。
【発明の詳細な説明】
【０００１】
【発明の属する技術分野】
本発明は庇構造に関し、特に、庇を大きくしたのと同様な効果を簡単に実現でき、あるいはこれに加えて、バルコニーを備える建物における全体の外観との調和も図りやすい庇構造に関する。
【０００２】
【背景技術及び発明が解決しようとする課題】
建物の玄関部や窓部の上方には、玄関等に直接吹き付ける雨や雪又は照りつける太陽光線等の量を少なくして快適な居住空間を得るため、庇が形成される場合が多い。そして、多くの雨等を遮るためには、この庇ができるだけ大きい方が好ましい。
【０００３】
しかし、庇を大きく形成すると、庇自体の重量も大きくなるため、自重を支えるための工事を併せて行わなければならず、施工作業に手間がかかる。また、庇のみを著しく突出させて形成することは、家屋全体の外観のバランスを崩しかねない。
【０００４】
そこで、庇自体を大きくすることなく、雨等をできるだけ多く遮るための庇構造が要望されていた。
【０００５】
さらに、バルコニーを備える建物においては、手間や費用をあまりかけずに、庇部の外観を建物全体の外観と調和させたいという要望もあった。
【０００６】
本発明は、上記課題に鑑みてなされたものであり、その目的は、庇を大きくしたのと同様な効果を簡単に実現でき、あるいはこれに加えて、バルコニーを備える建物における全体の外観との調和も図りやすい庇構造を提供することにある。
【０００７】
【課題を解決するための手段】
上記課題を解決するため、請求項１記載の発明は、庇構造において、
建物の外壁に突設される庇部と、
前記庇部を取り囲むように前記外壁に設けられる壁部とを有し、前記壁部と前記庇部は、互いに接続されておらず、前記庇部の先端と前記壁部との間には隙間が形成されていることを特徴とする。
請求項１記載の発明によれば、庇部を取り囲む壁部が形成されることにより、庇部を大きく形成する場合と同様の効果を簡単に達成することができる。
【０００８】
つまり、外壁からみて庇部の先端や側端よりも遠方に壁部があるため、雨や雪が斜めに降る場合には、庇部の先端等の付近では、屋根そのものではなく、壁部によって雨等が遮られる。同様に、太陽光線も壁部によって遮られるため、庇部のみの場合よりも、庇部下方の玄関や窓あるいは外壁等への直射日光の照射量を少なくすることができる。このため、庇部自体を通常の大きさに形成しつつ、庇部を大きく形成するのと同様の効果を得られる。そして、壁部は、バルコニー形成の手法等を応用することにより、比較的簡単に設計・施工し得る。このため、庇部を大きくする場合よりも、簡単に形成することができる。
【０００９】
また、建物の完成後に壁部のみを付加的に形成しても、同一の効果を達成することができる。従って、後発的な事情により庇を大きくしたい場合等にも有効である。
【００１０】
さらに、庇部を壁部で取り囲むことにより、庇部を覆い隠すことができる。そして、この場合には、庇部の外観を美的に仕上げる必要がないため、庇部の仕上げ処理を簡略化することが可能となる。
【００１１】
また、請求項２記載の発明は、請求項１において、前記建物は、バルコニーを備え、前記壁部は、前記バルコニーと同様な外観に形成されることを特徴とする。
【００１２】
請求項２記載の発明によれば、壁部がバルコニーと同様な外観に形成されることにより、バルコニーを有する建物における庇部の外観を建物全体の外観と調和させることができる。
【００１３】
さらに、請求項３記載の発明は、請求項２において、前記壁部は、前記バルコニーと同じ高さの位置に形成されること、を特徴とする。
【００１４】
請求項３記載の発明によれば、壁部とバルコニーとが同じ高さに形成されるため、バルコニーを有する建物全体の外観を一層調和したものとすることができる。また、壁部およびバルコニーを形成する際、いずれか先に形成された方を基準として他方の位置決めを行うことができるため、作業を行いやすくなる。
【００１５】
【発明の実施の形態】
次に、本発明の実施の形態を、図面を参照して詳細に説明する。
【００１６】
図１は、本発明を玄関庇に適用した場合の例を示す縦断面図である。
【００１７】
同図において、家屋１０の外壁１４，１６は、入隅をなして接続され、外壁１４の一階部分には玄関１２が、二階部分には窓１８が、それぞれ形成されている。また、玄関１２の上方には、外壁１４及び外壁１６の両方から張り出すように庇部３２が形成され、この庇部３２の先端３２ａから離れた位置に、庇部３２の側方を取り囲むように壁部３４が設けられている。また、壁部３４の下端部は、庇部３２の先端３２ａの位置よりも低い位置にある。このため、斜めに降る雨や斜めに差し込む太陽光線等は、壁部３４で遮られ、庇部３２を大型にして低い位置に形成した場合と同様に、玄関前の空間に吹き付ける雨等の量が少なくなる。さらに、庇部３２が外側から見えないため、庇部３２を美的に仕上げる必要がない。そのため、仕上げ処理を簡略化して、庇部３２を簡単に形成することが可能となる。
【００１８】
ここで、壁部３４は、雨等を遮ることができる限り、その材質や構成等は特に問わない。ただし、建物の一部であり、風雨にさらされるものであることから、相当の耐久性および耐水性を備えることが好ましい。また、壁部３４の外壁１５等への接続方法も、外壁１５等から突出した状態を確実に維持し得る限り、特に問わない。これらの点に関し、本実施形態では、バルコニー用の手摺壁を形成する手法を応用している。つまり、図からは明らかではないが、建築用パネルを複数枚接続して所定の形に形成し、両パネル面に防水材及び仕上げ材を取り付け、さらに上端部を笠木で覆って、壁部３４を形成している。そして、外壁１５，１７（図２参照）への接続に際しても、手摺壁と同様な方法を用いることにより、外壁１５，１７への壁部３４の固定を確実なものとしている。
【００１９】
また、壁部３４と庇部３２は、互いに接続されておらず、庇部３２の先端３２ａと壁部３４との間には隙間２６が形成されている。このように隙間２６を設けることにより、落ち葉その他のゴミが壁部３４にせき止められて庇部３２上に溜まることが防止される。さらに、壁部３４と庇部３２との接続作業を省略できるため、壁部３４の設置作業が一層簡単となる。
【００２０】
庇部３２は、玄関庇としての機能を果たし得るものであれば、その大きさや構成等は特に問わない。なお、本実施形態における庇部３２は、外壁１４，１６によって形成される入隅に納まる大きさであって、屋根パネル３１ａの上面に防水材３１ｂおよび仕上げ材３１ｃを取り付けて形成されている。また、屋根パネル３１ａは、矩形の枠体３０ａの一方の面に面材３０ｂを張り付けて形成されている。
【００２１】
図２は、図１に示す家屋１０の玄関部付近の外観を示す正面図である。
【００２２】
同図において、玄関１２上方の壁部３４によって庇部３２（図１参照）が外側から覆い隠されている。また、外壁１７の一階部の窓５０の上方には、バルコニー４０が形成されている。さらに、壁部３２は、バルコニー４０と同様な外観を有し、バルコニー４０と同じ高さに形成されている。
【００２３】
これにより、壁部３４とバルコニー４０の形成の際、いずれか先に形成された方を基準として、後から形成される方の位置あわせを行うことが可能となる。従って、壁部３４またはバルコニー４０の設置作業が比較的容易となる。
【００２４】
また、バルコニー４０を備える家屋１０の玄関上方付近の外観が、全体の外観と調和したものとなる。
【００２５】
ここで、壁部３２の外観をバルコニー４０と同様にするための方法は、特に問わないが、バルコニー４０の手摺壁と壁部３４の双方を、同様な建材を用いて同様な手法により形成すると、ほぼ同様な外観を簡単に現出できる上、耐久性等も確保できるため、好ましい。
【００２６】
なお、本実施形態における壁部３４とバルコニー４０の手摺壁は、同様な建材を用いて同様な手法により形成されている。つまり、バルコニー４０を形成する手摺壁も、図１の説明で述べた壁部３４と同様に、建築用パネルを複数枚接続して所定の形に形成し、両パネル面に防水材及び仕上げ材を取り付け、さらに上端部を笠木で覆って形成されている。
【００２７】
【発明の効果】
以上説明したように、請求項１記載の発明によれば、庇部を覆い隠すように取り囲む壁部を備えることにより、庇部を大きく形成する場合と同様の効果を得られる。
【００２８】
また、請求項２記載の発明によれば、バルコニーと同様な外観を有するように壁部を形成することにより、バルコニーを備える建物における庇部分の外観を簡単に全体と調和させることが可能となる。
【００２９】
さらに、請求項３記載の発明によれば、壁部がバルコニーと同じ高さの位置に形成されることから、バルコニーを有する建物の全体の外観を一層調和したものとすることができる。
【図面の簡単な説明】
【図１】本発明を玄関庇に適用した場合の例を示す縦断面図である。
【図２】図１に示す家屋の玄関付近の外観を示す正面図である。
【符号の説明】
１０  家屋
３２  庇部
３４  壁部
４０  バルコニー
【図１】
0003808563.tif 000002
【図２】
0003808563.tif 000003